【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  無線通信システムのための適応型ハンドオフトリガシステムを提供する方法であって、
モバイルノードによって使用されている第１のアクセスネットワークが、当該モバイルノードに対してトリガ前タイミングパラメータを通知するステップと、
前記モバイルノードが、前記トリガ前タイミングパラメータに基づいて可変ハンドオフ閾値を設定するステップと、
前記モバイルノードに対するパイロット信号の強度が前記可変ハンドオフ閾値に達した場合に、第２のアクセスネットワークへのハンドオフを開始するステップと
を具備し、
前記トリガ前タイミングパラメータは、レイヤ３ハンドオフリクエストから当該リクエストによるリンクレイヤ接続の切断までの期間の推定値と関連していることを特徴とする方法。
【請求項２】  前記モバイルノードが、前記第１のアクセスネットワークに対してＩＰレイヤブラックアウト期間を通知するステップをさらに具備することを特徴とする請求項１に記載の方法。
【請求項３】  前記第１のアクセスネットワークが、前記ＩＰレイヤブラックアウト期間に基づいて前記トリガ前タイミングパラメータを再調整するステップをさらに具備することを特徴とする請求項２に記載の方法。
【請求項４】  前記トリガ前タイミングパラメータを再調整するために適応チューナが用いられることを特徴とする請求項３に記載の方法。
【請求項５】  前記可変ハンドオフ閾値はリンクダウン閾値よりも高く設定されることを特徴とする請求項１に記載の方法。
【請求項６】  前記可変ハンドオフ閾値は数学的マッピング方程式に基づいて算出されることを特徴とする請求項１に記載の方法。
【請求項７】  前記数学的マッピング方程式は、可変ハンドオフ閾値をＴｈａｄａｐｔｉｖｅ、トリガタイミングをＴｔ、パイロット信号期間をＴｂｅａｃｏｎ、パイロット信号周期あたりのパイロット信号強度の瞬時減少値をΔ、リンクダウンするパイロット信号強度をＳＬＤとした場合、
2003230169.tif 000001
と表されることを特徴とする請求項６に記載の方法。
【請求項８】  前記ハンドオフは前記第１のアクセスネットワークによって開始されることを特徴とする請求項１に記載の方法。
【請求項９】  前記ハンドオフは前記モバイルノードによって開始されることを特徴とする請求項１に記載の方法。
【請求項１０】  無線通信システムのための適応型ハンドオフトリガシステムであって、
第１のアクセスネットワークと、
前記第１のアクセスネットワークに接続されるモバイルノードと
を具備し、
前記第１のアクセスネットワークはトリガ前タイミングパラメータを前記モバイルノードに通知し、
前記モバイルノードは前記トリガ前タイミングパラメータに基づいて可変ハンドオフ閾値を設定し、
前記モバイルノードが第２のアクセスネットワークの無線信号が届く範囲に位置し、かつ前記モバイルノードに対するパイロット信号の強度が前記可変ハンドオフ閾値に達した場合に、第２のアクセスネットワークへのハンドオフが開始され、
前記トリガ前タイミングパラメータは、レイヤ３ハンドオフリクエストから当該リクエストによるリンクレイヤ接続の切断までの期間の推定値と関連していることを特徴とする適応型ハンドオフトリガシステム。
【請求項１１】  前記モバイルノードが前記第１のアクセスネットワークに対してＩＰレイヤブラックアウト期間を通知するステップをさらに具備することを特徴とする請求項１０に記載の適応型ハンドオフトリガシステム。
【請求項１２】  前記第１のアクセスネットワークが前記ＩＰレイヤブラックアウト期間に基づいて前記トリガ前タイミングパラメータを再調整するステップをさらに具備することを特徴とする請求項１１に記載の適応型ハンドオフトリガシステム。
【請求項１３】  前記トリガ前タイミングパラメータを再調整するために適応チューナが用いられることを特徴とする請求項１２に記載の適応型ハンドオフトリガシステム。
【請求項１４】  前記可変ハンドオフ閾値はリンクダウン閾値よりも高く設定されることを特徴とする請求項１０に記載の適応型ハンドオフトリガシステム。
【請求項１５】  前記可変ハンドオフ閾値は数学的マッピング方程式に基づいて算出されることを特徴とする請求項１０に記載の適応型ハンドオフトリガシステム。
【請求項１６】  前記数学的マッピング方程式は、可変ハンドオフ閾値をＴｈａｄａｐｔｉｖｅ、トリガタイミングをＴｔ、パイロット信号期間をＴｂｅａｃｏｎ、パイロット信号周期あたりのパイロット信号強度の瞬時減少値をΔ、リンクダウンするパイロット信号強度をＳＬＤとした場合、
2003230169.tif 000002
と表されることを特徴とする請求項１５に記載の適応型ハンドオフトリガシステム。
【請求項１７】  前記ハンドオフは前記第１のアクセスネットワークによって開始されることを特徴とする請求項１０に記載の適応型ハンドオフトリガシステム。
【請求項１８】  前記ハンドオフは前記モバイルノードによって開始されることを特徴とする請求項１０に記載の適応型ハンドオフトリガシステム。
【請求項１９】  無線通信システムのための適応型ハンドオフトリガシステムを提供する方法であって、
トリガ前タイミングパラメータをモバイルノードに通知するステップと、
前記モバイルノードと前記モバイルノードによって使用されている第１のアクセスネットワークとの間で送受信されるパイロット信号の強度を測定するステップと、
前記パイロット信号の強度が可変ハンドオフ閾値に達した場合に、第２のアクセスネットワークへのハンドオフをトリガするステップと
を具備し、
前記トリガ前タイミングパラメータは、レイヤ３ハンドオフリクエストから当該リクエストによるリンクレイヤ接続の切断までの期間の推定値と関連していることを特徴とする方法。
【請求項２０】  前記ハンドオフは前記第１のアクセスネットワークによって開始されることを特徴とする請求項１９に記載の方法。
【請求項２１】  前記ハンドオフは前記モバイルノードによって開始されることを特徴とする請求項１９に記載の方法。
【請求項２２】  無線通信システムのための適応型ハンドオフトリガシステムを提供する方法であって、
モバイルノードによって使用されている第１のアクセスネットワークが当該モバイルノードに対してトリガ前タイミングパラメータを通知するステップと、
前記モバイルノードが前記トリガ前タイミングパラメータに基づいて可変ハンドオフ閾値を設定するステップと、
前記モバイルノードに対するパイロット信号の強度が前記可変ハンドオフ閾値に達した場合に、第２のアクセスネットワークへのハンドオフを開始するステップと、
前記第１のアクセスネットワークに対してＩＰレイヤブラックアウト期間を通知するステップと、
前記ＩＰレイヤブラックアウト期間に基づいて前記トリガ前タイミングパラメータを再調整するステップと
を具備し、
前記トリガ前タイミングパラメータは、レイヤ３ハンドオフリクエストから当該リクエストによるリンクレイヤ接続の切断までの期間の推定値と関連していることを特徴とする方法。
【請求項２３】  前記ハンドオフは前記第１のアクセスネットワークによって開始されることを特徴とする請求項２２に記載の方法。
【請求項２４】  前記ハンドオフは前記モバイルノードによって開始されることを特徴とする請求項２２に記載の方法。